(57)【要約】【課題】送液状態の切替えの間違いを抑制可能な流路切替部材及び送液装置を提供する。【解決手段】流路切替部材は、第１連通口、第２連通口及び第３連通口を備えるハウジングと、コネクタが除去可能に配置されるコネクタ配置部と、前記ハウジングに移動可能に保持されるとともに、前記コネクタ配置部への前記コネクタの配置によって第１位置に移動し、前記コネクタ配置部からの前記コネクタの除去によって第２位置に移動する可動部材とを有し、前記可動部材が、前記第１位置において前記第１連通口と前記第３連通口とを互いに連通させる第１連通路と、前記第１位置において前記第２連通口を閉塞する第２閉塞部と、前記第２位置において前記第２連通口と前記第３連通口とを互いに連通させる第２連通路と、前記第２位置において前記第１連通口を閉塞する第１閉塞部とを有する。【選択図】図３
2020146231.tif 000002
【特許請求の範囲】
【請求項１】
第１連通口、第２連通口及び第３連通口を備えるハウジングと、
コネクタが除去可能に配置されるコネクタ配置部と、
前記ハウジングに移動可能に保持されるとともに、前記コネクタ配置部への前記コネクタの配置によって第１位置に移動し、前記コネクタ配置部からの前記コネクタの除去によって第２位置に移動する可動部材とを有し、前記可動部材が、前記第１位置において前記第１連通口と前記第３連通口とを互いに連通させる第１連通路と、前記第１位置において前記第２連通口を閉塞する第２閉塞部と、前記第２位置において前記第２連通口と前記第３連通口とを互いに連通させる第２連通路と、前記第２位置において前記第１連通口を閉塞する第１閉塞部とを有する流路切替部材。
【請求項２】
前記ハウジングが、前記コネクタ配置部と、前記コネクタ配置部への前記コネクタの配置によって前記コネクタと解除可能に嵌合する嵌合部とを有し、
前記可動部材が、前記コネクタ配置部への前記コネクタの配置により、前記コネクタによって前記第２位置にある前記可動部材が前記第１位置まで移動するように押圧される被押圧部を有し、
前記ハウジングと前記可動部材との間に、前記第１位置にある前記可動部材が前記第２位置まで移動するように前記可動部材を付勢する付勢部材が設けられる、請求項１に記載の流路切替部材。
【請求項３】
前記嵌合部が、前記コネクタ配置部への前記コネクタの配置によって前記コネクタと解除可能にスナップ嵌合するスナップ嵌合部を有する、請求項２に記載の流路切替部材。
【請求項４】
前記ハウジングが、前記可動部材が前記第１位置と前記第２位置との間でスライド移動するように前記可動部材を案内する案内部を有する、請求項１〜３のいずれか一項に記載の流路切替部材。
【請求項５】
第１連通口、第２連通口及び第３連通口を備える流路切替部材と、
第１液体を収容する第１容器に連結する瓶針を備えるとともに前記瓶針と前記第１連通口とを連通させる第１流路を備える第１流路部材と、
第２液体を収容する第２容器に連結するコネクタを備えるとともに前記コネクタと前記第２連通口とを連通させる第２流路を備える第２流路部材とを有し、
前記流路切替部材が、
前記第１連通口、前記第２連通口及び前記第３連通口を備えるハウジングと、
前記コネクタが除去可能に配置されるコネクタ配置部と、
前記ハウジングに移動可能に保持されるとともに、前記コネクタ配置部への前記コネクタの配置によって第１位置に移動し、前記コネクタ配置部からの前記コネクタの除去によって第２位置に移動する可動部材とを有し、前記可動部材が、前記第１位置において前記第１連通口と前記第３連通口とを互いに連通させる第１連通路と、前記第１位置において前記第２連通口を閉塞する第２閉塞部と、前記第２位置において前記第２連通口と前記第３連通口とを互いに連通させる第２連通路と、前記第２位置において前記第１連通口を閉塞する第１閉塞部とを有する送液装置。
【請求項６】
第１液体を収容する第１収容空間を備える第１容器と、
第２液体を収容する第２収容空間を備える第２容器と、
第１連通口、第２連通口及び第３連通口を備える流路切替部材と、
前記第１収容空間と前記第１連通口とを連通させる第１流路を備える第１流路部材と、
前記第２収容空間と前記第２連通口とを連通させる第２流路を備える第２流路部材とを有し、前記第２流路部材が互いに着脱可能に連結する一対のコネクタを有し、
前記流路切替部材が、
前記第１連通口、前記第２連通口及び前記第３連通口を備えるハウジングと、
前記第２連通口の側に位置する前記一対のコネクタの一方である第１コネクタが除去可能に配置されるコネクタ配置部と、
前記ハウジングに移動可能に保持されるとともに、前記コネクタ配置部への前記第１コネクタの配置によって第１位置に移動し、前記コネクタ配置部からの前記第１コネクタの除去によって第２位置に移動する可動部材とを有し、前記可動部材が、前記第１位置において前記第１連通口と前記第３連通口とを互いに連通させる第１連通路と、前記第１位置において前記第２連通口を閉塞する第２閉塞部と、前記第２位置において前記第２連通口と前記第３連通口とを互いに連通させる第２連通路と、前記第２位置において前記第１連通口を閉塞する第１閉塞部とを有する送液装置。
【発明の詳細な説明】
【技術分野】
【０００１】
本開示は、流路切替部材及び送液装置に関する。
【背景技術】
【０００２】
薬液等の液体を体内へ送る送液ラインを形成する送液装置が知られている。送液ラインは、第１液体を体内へ送るメインラインと、第２液体をメインラインへ送るサブラインとを有する場合がある。その場合、送液装置は、第１液体を収容する第１収容空間を備える第１容器と、第２液体を収容する第２収容空間を備える第２容器と、第１連通口、第２連通口及び第３連通口を備える流路切替部材と、第１収容空間と第１連通口とを連通させる第１流路を備える第１流路部材と、第２収容空間と第２連通口とを連通させる第２流路を備える第２流路部材と、第３連通口と連通する第３流路を備える第３流路部材とを有し、第２流路部材が互いに着脱可能に連結する一対のコネクタを有する。第１容器、第１流路部材、流路切替部材及び第３流路部材により、メインラインが形成される。第２容器、第２流路部材及び流路切替部材により、サブラインが形成される。第１容器を交換することで、２種類以上の第１液体を順次送液することもできる。第２容器を交換することで、２種類以上の第２液体を順次送液することもできる。
【０００３】
このような送液装置を用いて例えば抗癌剤を送液する場合には、第１液体（例えば、生理食塩液、制吐剤など）の送液と、第２液体（例えば、１種類以上の抗癌剤など）の送液とを、適切な順序で選択的に行う必要がある。つまり、第１液体のみが送液される状態と、第２液体のみが送液される状態との間で、送液状態の切替えを間違いなく行う必要がある。例えば特許文献１には、流路切替部材を三方活栓で構成した送液装置が記載されている。三方活栓の操作により、第１液体のみが送液される状態と、第２液体のみが送液される状態との間で、送液状態が切替えられる。
【先行技術文献】
【特許文献】
【０００４】
【特許文献１】特開２０１４−３０４８９号公報
【発明の概要】
【発明が解決しようとする課題】
【０００５】
しかし、特許文献１に記載されるような送液装置を用いる場合には、三方活栓の操作を失念することにより、送液状態の適切な切替えが行われないおそれがある。送液状態の切替えの間違いを抑制することが望まれている。
【０００６】
本開示は、このような点に鑑み、送液状態の切替えの間違いを抑制可能な流路切替部材及び送液装置を提供することを目的とする。
【課題を解決するための手段】
【０００７】
本発明の第１の態様としての流路切替部材は、第１連通口、第２連通口及び第３連通口を備えるハウジングと、コネクタが除去可能に配置されるコネクタ配置部と、前記ハウジングに移動可能に保持されるとともに、前記コネクタ配置部への前記コネクタの配置によって第１位置に移動し、前記コネクタ配置部からの前記コネクタの除去によって第２位置に移動する可動部材とを有し、前記可動部材が、前記第１位置において前記第１連通口と前記第３連通口とを互いに連通させる第１連通路と、前記第１位置において前記第２連通口を閉塞する第２閉塞部と、前記第２位置において前記第２連通口と前記第３連通口とを互いに連通させる第２連通路と、前記第２位置において前記第１連通口を閉塞する第１閉塞部とを有する。
【０００８】
本発明の１つの実施形態として、前記流路切替部材は、前記ハウジングが、前記コネクタ配置部と、前記コネクタ配置部への前記コネクタの配置によって前記コネクタと解除可能に嵌合する嵌合部とを有し、前記可動部材が、前記コネクタ配置部への前記コネクタの配置により、前記コネクタによって前記第２位置にある前記可動部材が前記第１位置まで移動するように押圧される被押圧部を有し、前記ハウジングと前記可動部材との間に、前記第１位置にある前記可動部材が前記第２位置まで移動するように前記可動部材を付勢する付勢部材が設けられる。
【０００９】
本発明の１つの実施形態として、前記流路切替部材は、前記嵌合部が、前記コネクタ配置部への前記コネクタの配置によって前記コネクタと解除可能にスナップ嵌合するスナップ嵌合部を有する。
【００１０】
本発明の１つの実施形態として、前記流路切替部材は、前記ハウジングが、前記可動部材が前記第１位置と前記第２位置との間でスライド移動するように前記可動部材を案内する案内部を有する。
【００１１】
本発明の第２の態様としての送液装置は、第１連通口、第２連通口及び第３連通口を備える流路切替部材と、第１液体を収容する第１容器に連結する瓶針を備えるとともに前記瓶針と前記第１連通口とを連通させる第１流路を備える第１流路部材と、第２液体を収容する第２容器に連結するコネクタを備えるとともに前記コネクタと前記第２連通口とを連通させる第２流路を備える第２流路部材とを有し、前記流路切替部材が、前記第１連通口、前記第２連通口及び前記第３連通口を備えるハウジングと、前記コネクタが除去可能に配置されるコネクタ配置部と、前記ハウジングに移動可能に保持されるとともに、前記コネクタ配置部への前記コネクタの配置によって第１位置に移動し、前記コネクタ配置部からの前記コネクタの除去によって第２位置に移動する可動部材とを有し、前記可動部材が、前記第１位置において前記第１連通口と前記第３連通口とを互いに連通させる第１連通路と、前記第１位置において前記第２連通口を閉塞する第２閉塞部と、前記第２位置において前記第２連通口と前記第３連通口とを互いに連通させる第２連通路と、前記第２位置において前記第１連通口を閉塞する第１閉塞部とを有する。
【００１２】
本発明の第３の態様としての送液装置は、第１液体を収容する第１収容空間を備える第１容器と、第２液体を収容する第２収容空間を備える第２容器と、第１連通口、第２連通口及び第３連通口を備える流路切替部材と、前記第１収容空間と前記第１連通口とを連通させる第１流路を備える第１流路部材と、前記第２収容空間と前記第２連通口とを連通させる第２流路を備える第２流路部材とを有し、前記第２流路部材が互いに着脱可能に連結する一対のコネクタを有し、前記流路切替部材が、前記第１連通口、前記第２連通口及び前記第３連通口を備えるハウジングと、前記第２連通口の側に位置する前記一対のコネクタの一方である第１コネクタが除去可能に配置されるコネクタ配置部と、前記ハウジングに移動可能に保持されるとともに、前記コネクタ配置部への前記第１コネクタの配置によって第１位置に移動し、前記コネクタ配置部からの前記第１コネクタの除去によって第２位置に移動する可動部材とを有し、前記可動部材が、前記第１位置において前記第１連通口と前記第３連通口とを互いに連通させる第１連通路と、前記第１位置において前記第２連通口を閉塞する第２閉塞部と、前記第２位置において前記第２連通口と前記第３連通口とを互いに連通させる第２連通路と、前記第２位置において前記第１連通口を閉塞する第１閉塞部とを有する。
【発明の効果】
【００１３】
本開示によれば、送液状態の切替えの間違いを抑制可能な流路切替部材及び送液装置を提供することができる。
【図面の簡単な説明】
【００１４】
【図１】本発明の一実施形態に係る送液装置を示す外観図である。
【図２】図１に示す送液装置の流路切替部材の第１状態を示す斜視図である。
【図３】図１に示す送液装置の流路切替部材の第２状態を示す斜視図である。
【図４】図２のＡ−Ａ断面図である。
【図５】図３のＡ−Ａ断面図である。
【発明を実施するための形態】
【００１５】
以下、図面を参照して、本発明の実施形態に係る流路切替部材及び送液装置について詳細に例示説明する。
【００１６】
図１に示すように、本実施形態に係る送液装置１は、第１容器２、第２容器３、本実施形態に係る流路切替部材４、第１流路部材５、第２流路部材６及び第３流路部材７を有する。第１容器２は、第１液体２ａを収容する第１収容空間２ｂを有する。第２容器３は、第２液体３ａを収容する第２収容空間３ｂを有する。流路切替部材４は、第１連通口４ａ、第２連通口４ｂ及び第３連通口４ｃを有する。第１流路部材５は、第１収容空間２ｂと第１連通口４ａとを連通させる第１流路５ａを有する。第２流路部材６は、第２収容空間３ｂと第２連通口４ｂとを連通させる第２流路６ａを有する。第３流路部材７は、第３連通口４ｃと連通する第３流路７ａを有する。第１容器２、第１流路部材５、流路切替部材４及び第３流路部材７により、メインラインが形成される。第２容器３、第２流路部材６及び流路切替部材４により、サブラインが形成される。
【００１７】
第１液体２ａは、例えば、生理食塩液又は制吐剤であってよい。第１容器２は、例えば、輸液バッグであってよい。第１容器２は、他の第１容器２と交換可能であってよい。この場合、第１容器２を交換することで、２種類以上の第１液体２ａを順次送液することもできる。例えば、第１液体２ａとして生理食塩液を収容する第１容器２を第１流路部材５に連結して送液した後に、第１液体２ａとして制吐剤を収容する他の第１容器２に交換してもよい。
【００１８】
第２液体３ａは、例えば、抗癌剤であってよい。第２容器３は、例えば、輸液バッグであってよい。第２容器３は、他の第２容器３と交換可能であってよい。この場合、第２容器３を交換することで、２種類以上の第２液体３ａを順次送液することもできる。例えば、第２液体３ａとして抗癌剤を収容する第２容器３を第２流路部材６に連結して送液した後に、第２液体３ａとして他の種類の抗癌剤を収容する他の第２容器３に交換してもよい。
【００１９】
第１流路部材５は、瓶針８及びチューブ９によって構成される。瓶針８は、第１容器２に連結する。チューブ９の上流端は、瓶針８に連結する。チューブ９の下流端は、流路切替部材４の第１連結部１０ａに連結する。第１連結部１０ａは、第１連通口４ａを有する。
【００２０】
第２流路部材６は、互いに着脱可能に連結する第１コネクタ１１ａ及び第２コネクタ１１ｂ（以下、一対のコネクタ１１ａ、１１ｂとも言う）を有する。より具体的には、第２流路部材６は、第２容器３と一体的に形成された第２コネクタ１１ｂと、第１コネクタ１１ａと、チューブ１２とによって構成される。チューブ１２の上流端は、第１コネクタ１１ａに連結する。チューブ１２の下流端は、流路切替部材４の第２連結部１０ｂに連結する。第２連結部１０ｂは、第２連通口４ｂを有する。
【００２１】
第３流路部材７は、チューブ１３、点滴筒１４、チューブ１５及びコネクタ１６によって構成される。チューブ１５には、流量調整用のクレンメ１７が取り付けられる。チューブ１３の上流端は、流路切替部材４の第３連結部１０ｃに連結する。第３連結部１０ｃは、第３連通口４ｃを有する。チューブ１３の下流端は、点滴筒１４の上流端に連結する。チューブ１５の上流端は、点滴筒１４の下流端に連結する。チューブ１５の下流端は、コネクタ１６に連結する。コネクタ１６は、患者などの体内に連通する流路を有する第４流路部材（図示省略）の上流端に設けられるコネクタ（図示省略）に連結する。第４流路部材は、例えばカテーテルによって構成される。
【００２２】
送液装置１を用いて例えば抗癌剤を送液する場合には、第１液体２ａ（例えば、生理食塩液、制吐剤など）の送液と、第２液体３ａ（例えば、１種類以上の抗癌剤など）の送液とを、適切な順序で選択的に行う必要がある。つまり、第１液体２ａのみが送液される状態と、第２液体３ａのみが送液される状態との間で、送液状態の切替えを間違いなく行う必要がある。本実施形態においては、流路切替部材４を用いることにより、送液状態の切替えの間違いを抑制可能である。
【００２３】
図２〜図５に示すように、本実施形態の流路切替部材４は、ハウジング１８、コネクタ配置部１９及び可動部材２０を有する。ハウジング１８は、第１連通口４ａを備える第１連結部１０ａと、第２連通口４ｂを備える第２連結部１０ｂと、第３連通口４ｃを備える第３連結部１０ｃとを有する。コネクタ配置部１９には、第１コネクタ１１ａが除去可能に配置される。可動部材２０は、ハウジング１８に移動可能に保持されるとともに、コネクタ配置部１９への第１コネクタ１１ａの配置によって第１位置に移動し、コネクタ配置部１９からの第１コネクタ１１ａの除去によって第２位置に移動する。可動部材２０は、第１位置において第１連通口４ａと第３連通口４ｃとを互いに連通させる第１連通路２１ａと、第１位置において第２連通口４ｂを閉塞する第２閉塞部２２ｂを有する。また、可動部材２０は、第２位置において第２連通口４ｂと第３連通口４ｃとを互いに連通させる第２連通路２１ｂと、第２位置において第１連通口４ａを閉塞する第１閉塞部２２ａとを有する。
【００２４】
したがって、流路切替部材４の状態は、第１コネクタ１１ａがコネクタ配置部１９に配置され可動部材２０が第１位置にあり第１連通口４ａのみが第３連通口４ｃに連通する第１状態と、第１コネクタ１１ａがコネクタ配置部１９から除去され可動部材２０が第２位置にあり第２流路４ｂのみが第３流路４ｃに連通する第２状態との間で切替えられる。
【００２５】
ハウジング１８は、コネクタ配置部１９と、コネクタ配置部１９への第１コネクタ１１ａの配置によって第１コネクタ１１ａと解除可能に嵌合する嵌合部２３とを有する。嵌合部２３は、コネクタ配置部１９への第１コネクタ１１ａの配置によって第１コネクタ１１ａと解除可能にスナップ嵌合するスナップ嵌合部を有する。嵌合部２３は、スナップ嵌合部に代え、又はスナップ嵌合部に加え、コネクタ配置部１９への第１コネクタ１１ａの配置によって第１コネクタ１１ａと解除可能に押圧嵌合する押圧嵌合部を有してもよい。第１コネクタ１１ａは、円筒状の最外周壁１１ａ１を有する。スナップ嵌合部は、互いに対向する一対の凸部２３ａによって構成されている。一対の凸部２３ａは、コネクタ配置部１９への第１コネクタ１１ａの配置によって第１コネクタ１１ａの最外周壁１１ａ１と解除可能にスナップ嵌合する。
【００２６】
可動部材２０は、コネクタ配置部１９への第１コネクタ１１ａの配置により、第１コネクタ１１ａによって第２位置にある可動部材２０が第１位置まで移動するように押圧される被押圧部２４を有する。ハウジング１８と可動部材２０との間には、第１位置にある可動部材２０が第２位置まで移動するように可動部材２０を付勢する付勢部材２５が設けられる。付勢部材２５は、コイル状のばねによって構成されるが、これに限らず、コイル状以外のばねによって構成されてもよいし、磁石などの、ばね以外の部材によって構成されてもよい。ハウジング１８は、可動部材２０が第１位置と第２位置との間でスライド移動するように可動部材２０を案内する案内部２６を有する。
【００２７】
ハウジング１８は、前壁２７、後壁２８、上壁２９、下壁３０、左壁３１及び右壁３２を有する。前方とは、可動部材２０が第１位置から第２位置に向けてスライド移動するときの移動方向（つまり、図４における左方向）であり、後方とはその反対方向である。上方とは、第３連通口４ｃから第１連通口４ａに向かう方向であり、下方とはその反対方向である。左右方向とは、前後方向と上下方向との両方と垂直な方向である。前壁２７及び後壁２８は、それぞれ、前後方向と垂直に延在する平板状であり、互いに前後方向に対向している。上壁２９及び下壁３０は、それぞれ、上下方向と垂直に延在する平板状であり、互いに上下方向に対向している。左壁３１及び右壁３２は、それぞれ、左右方向と垂直に延在する平板状であり、互いに左右方向に対向している。
【００２８】
前壁２７及び後壁２８は、それぞれ、左右方向に延在する上端縁と、左右方向に延在する下端縁と、上下方向に延在する左側縁と、上下方向に延在する右側縁とを有する。上壁２９は、前壁２７の上端縁と後壁２８の上端縁とを連結する。下壁３０は、前壁２７の下端縁と後壁２８の下端縁とを連結する。左壁３１は、上壁２９の左側縁と下壁３０の左側縁とを連結する。右壁３２は、上壁２９の右側縁と下壁３０の右側縁とを連結する。
【００２９】
上壁２９は、左方向に開口する半長円形状の切欠き部２９ａを有する。下壁３０は、切欠き部２９ａの真下に位置する半長円形状の載置部３０ａを有する。左壁３１は、切欠き部２９ａと載置部３０ａとの間に位置する間欠部３１ａを有する。左壁３１は、間欠部３１ａと、間欠部３１ａより前方に位置する第１壁部３１ｂと、間欠部３１ａより後方に位置する第２壁部３１ｃとから構成される。
【００３０】
ハウジング１８は、切欠き部２９ａの前端部と載置部３０ａの前端部とを連結する湾曲板状の前方連結壁３３と、切欠き部２９ａの後端部から垂下する湾曲板状の後方垂下壁３４とを有する。後方垂下壁３４の下端面と下壁３０の上面との間には隙間３５が形成される。スナップ嵌合部を構成する一対の凸部２３ａの一方は、前方連結壁３３に位置し、一対の凸部２３ａの他方は、後方垂下壁３４に位置する。コネクタ配置部１９は、切欠き部２９ａ、前方連結壁３３、後方垂下壁３４及び載置部３０ａによって構成される。案内部２６は、上壁２９、下壁３０、左壁３１及び右壁３２によって構成される。
【００３１】
可動部材２０は、直方体形状の基部２０ａと、基部２０ａの後面における右下部から後方に延在する延長部２０ｂとを有する。基部２０ａは、第１連通路２１ａ、第２連通路２１ｂ、第１閉塞部２２ａ及び第２閉塞部２２ｂを有する。第１連通路２１ａの上端、第２連通路２１ｂの上端、第１閉塞部２２ａ及び第２閉塞部２２ｂは、基部２０ａの上面に位置する。第１連通路２１ａの下端及び第２連通路２１ｂの下端は、基部２０ａの下面に位置する。基部２０ａの上面が上壁２９に案内され、基部２０ａの下面が下壁３０に案内され、基部２０ａの左面が左壁３１の第１壁部３１ｂに案内され、基部２０ａの右面が右壁３２に案内されることにより、可動部材２０がハウジング１８に対して前後方向にスライド移動する。
【００３２】
延長部２０ｂは、第２状態において、基部２０ａから、前方連結壁３３の右側縁と右壁３２との間の隙間３６と、後方垂下壁３４の下端面と下壁３０の上面との隙間３５とを通って後方に延在している。延長部２０ｂは、被押圧部２４を有する。被押圧部２４は、前方から後方に向けて左方向に傾くテーパ面によって構成される。被押圧部２４は、第２状態において、コネクタ配置部１９の内部に飛び出している。延長部２０ｂは、延長部２０ｂの後面に位置するとともに前後方向に延在する円柱形状の凹部を有する。当該凹部の端面上には、付勢部材２５の一端が位置する。付勢部材２５の他端は、後壁２８の前面上に位置する。
【００３３】
ハウジング１８は、複数の一体成形部材から構成される。可動部材２０は、１つの一体成形部材から構成されるが、複数の一体成形部材から構成されてもよい。ハウジング１８及び可動部材２０は、それぞれ、合成樹脂製であってよいが、これに限らない。
【００３４】
使用者が、図２及び図４に示す第１状態において、第１コネクタ１１ａをコネクタ配置部１９から除去すると、可動部材２０が付勢部材２５によって前進し、流路切替部材４が、図３及び図５に示す第２状態となる。また、使用者が、図３及び図５に示す第２状態において、第１コネクタ１１ａをコネクタ配置部１９に配置すると、この配置に伴って右方向に移動する第１コネクタ１１ａの最外周壁１１ａ１が被押圧部２４を後方に押圧し、それによって可動部材２０が後退し、流路切替部材４が、図２及び図４に示す第１状態となる。
【００３５】
送液装置１によれば、第１液体２ａを送液するためには、第１コネクタ１１ａを流路切替部材４のコネクタ配置部１９に配置する操作が必要である。この操作は、第２液体３ａを収容する第２容器３がメインラインに連結されないことを保証する。また、送液装置１によれば、第２液体３ａを送液するためには、流路切替部材４のコネクタ配置部１９から第１コネクタ１１ａを除去し、第２コネクタ１１ｂに連結する操作が必要である。この操作は、流路切替部材４が第２状態となり、第１液体２ａが送液されないことを保証する。したがって、送液装置１によれば、送液状態の切替えの間違いを抑制可能である。
【００３６】
また、送液装置１によれば、第２液体３ａを送液しないときには、第１コネクタ１１ａを流路切替部材４のコネクタ配置部１９に配置しておくことができる。このとき、第１コネクタ１１ａの先端部はコネクタ配置部１９を構成する載置部３０ａによって覆われるので、第１コネクタ１１ａの先端部の衛生状態を良好に維持することができる。
【００３７】
前述した実施形態は、本発明の実施形態の一例にすぎず、発明の要旨を逸脱しない範囲で種々変更可能であることはいうまでもない。
【符号の説明】
【００３８】
１  送液装置
２  第１容器
２ａ  第１液体
２ｂ  第１収容空間
３  第２容器
３ａ  第２液体
３ｂ  第２収容空間
４  流路切替部材
４ａ  第１連通口
４ｂ  第２連通口
４ｃ  第３連通口
５  第１流路部材
５ａ  第１流路
６  第２流路部材
６ａ  第２流路
７  第３流路部材
７ａ  第３流路
８  瓶針
９  チューブ
１０ａ  第１連結部
１０ｂ  第２連結部
１０ｃ  第３連結部
１１ａ  第１コネクタ
１１ａ１  最外周壁
１１ｂ  第２コネクタ
１２  チューブ
１３  チューブ
１４  点滴筒
１５  チューブ
１６  コネクタ
１７  クレンメ
１８  ハウジング
１９  コネクタ配置部
２０  可動部材
２０ａ  基部
２０ｂ  延長部
２１ａ  第１連通路
２１ｂ  第２連通路
２２ａ  第１閉塞部
２２ｂ  第２閉塞部
２３  嵌合部
２３ａ  凸部（スナップ嵌合部）
２４  被押圧部
２５  付勢部材
２６  案内部
２７  前壁
２８  後壁
２９  上壁
２９ａ  切欠き部
３０  下壁
３０ａ  載置部
３１  左壁
３１ａ  間欠部
３１ｂ  第１壁部
３１ｃ  第２壁部
３２  右壁
３３  前方連結壁
３４  後方垂下壁
３５、３６  隙間
【図１】
2020146231.tif 000003
【図２】
2020146231.tif 000004
【図３】
2020146231.tif 000005
【図４】
2020146231.tif 000006
【図５】
2020146231.tif 000007